(57)【要約】【解決手段】キー合わせシステムは、平坦（たん）フレキシブル回路の導体を相補的接続装置の導体と電気的に相互接続するためのコネクタ組み立て体を提供する。組み立て体は、本体部材を備え、その上に平坦フレキシブル回路が位置決めされる第１のコネクタを含む。第２のコネクタは第１のコネクタと結合し、所定のパターンのキー合わせ突出部を含み、このキー合わせ突出部が第１のコネクタ上の平坦フレキシブル回路に設けられた対応するパターンのキー合わせ孔（あな）に挿入可能である。【選択図】図２
2005508566.tif 000002
【特許請求の範囲】
【請求項１】
平坦フレキシブル回路の導体を相補的接続装置の導体と電気的に相互接続するためのコネクタ組み立て体内のキー合わせシステムであって、
本体部材を備え、その上に平坦フレキシブル回路が位置決めされる第１のコネクタと、
第１のコネクタと結合するための第２のコネクタであって、所定のパターンのキー合わせ突出部を含み、このキー合わせ突出部が第１のコネクタ上の平坦フレキシブル回路に設けられた対応するパターンのキー合わせ孔に挿入可能である第２のコネクタと
を有するキー合わせシステム。
【請求項２】
前記第１のコネクタは、平坦フレキシブル回路のキー合わせ孔の後ろに凹部が形成されており、これにより、キー合わせ突出部が前記孔を貫通することができる、請求項１に記載のキー合わせシステム。
【請求項３】
第１のコネクタの本体部材は、平坦フレキシブル回路が位置決めされる前縁を備える雄型本体部材を有し、平坦フレキシブル回路の前記キー合わせ孔が縁の近くに配置されている、請求項１に記載のキー合わせシステム。
【請求項４】
前記平坦フレキシブル回路は雄型本体部材の前記前縁に巻き付けられ、第１のコネクタの前縁のキー合わせ孔の後ろに複数の凹部が設けられ、これにより、第２のコネクタのキー合わせ突出部が前記孔を貫通することができる、請求項３に記載のキー合わせシステム。
【請求項５】
前記第２のコネクタは、第１のコネクタの本体部材を収容する差し込み口を含み、前記キー合わせ突出部が差し込み口に配置されている、請求項１に記載のキー合わせシステム。
【請求項６】
前記第１のコネクタの本体部材は、第２のコネクタの差し込み口内に結合可能な雄型本体部材を有する、請求項５に記載のキー合わせシステム。
【請求項７】
前記雄型本体部材は、平坦フレキシブル回路が配置される前縁を備え、平坦フレキシブル回路の前記キー合わせ孔が縁の近くに配置されている、請求項６に記載のキー合わせシステム。
【請求項８】
平坦フレキシブル回路の導体を相補的接続装置の導体と電気的に相互接続するコネクタ組み立て体のキー合わせシステムであって、平坦フレキシブル回路が長手方向の中心線を備え、
本体部材を備え、その上に平坦フレキシブル回路を位置決めする第１のコネクタと、
第１のコネクタと結合するための第２のコネクタであって、前記中心線から一方の側に離間して設けられるとともに第１のコネクタ上の平坦フレキシブル回路内に対応して配置されたキー合わせ孔に挿入可能なキー合わせ突出部を備えた第２のコネクタとを有し、
前記中心線の反対側においては、第２のコネクタのキー合わせ突出部及び平坦フレキシブル回路のキー合わせ孔が前記離間間隔と同じ間隔で設けられていないキー合わせシステム。
【請求項９】
前記第１のコネクタは、平坦フレキシブル回路のキー合わせ孔の後ろに凹部が形成されており、これにより、キー合わせ突出部が前記孔を貫通することができる、請求項８に記載のキー合わせシステム。
【請求項１０】
前記第１のコネクタの本体部材は、平坦フレキシブル回路が位置決めされる前縁を備える雄型本体部材を有し、平坦フレキシブル回路の前記キー合わせ孔が縁の近くに配置されている、請求項８に記載のキー合わせシステム。
【請求項１１】
前記平坦フレキシブル回路は雄型本体部材の前記前縁に巻き付けられ、第１のコネクタの前縁のキー合わせ孔の後ろに凹部が設けられ、これにより、第２のコネクタのキー合わせ突出部が前記孔を貫通することができる、請求項１０に記載のキー合わせシステム。
【請求項１２】
前記第２のコネクタは、第１のコネクタの本体部材を収容する差し込み口を含み、前記キー合わせ突出部が差し込み口に配置されている、請求項８に記載のキー合わせシステム。
【請求項１３】
前記第１のコネクタの本体部材は、第２のコネクタの差し込み口内に結合可能な雄型本体部材を有する、請求項１２に記載のキー合わせシステム。
【請求項１４】
前記雄型本体部材は、平坦フレキシブル回路が配置される前縁を備え、平坦フレキシブル回路の前記キー合わせ孔が縁の近くに配置されている、請求項１３に記載のキー合わせシステム。
【発明の詳細な説明】
【技術分野】
【０００１】
本発明は、一般に電気コネクタの技術分野に関連し、詳細には平坦フレキシブル回路を電気的に相互接続するコネクタに関する。
【背景技術】
【０００２】
通常、平坦（たん）フレキシブル回路は、片面又は両面に横方向に離間された導体ストリップを有する細長の平坦なフレキシブル絶縁基板を含む。導体は、回路の片面又は両面上の薄いフレキシブル保護被覆によって覆われている場合がある。保護層が使用されている場合は、所望の接触位置で下の導体を露出させるように開口部が形成されており、その接触位置で、導体は、第２の平坦フレキシブル回路、プリント回路基板又は結合コネクタの個別端子である相補的結合接続装置の導体と係合する。
【発明の開示】
【発明が解決しようとする課題】
【０００３】
平坦フレキシブル回路を相補的結合接続装置に対して終端又は相互接続するために、様々なコネクタが長年に亘（わた）って設計されてきた。しかしながら、そのようなコネクタにおいても、様々な望ましい機能を備えたコネクタを設計しようとする場合、問題が発生する。例えば、１対の結合コネクタを含む幾つかの電気コネクタ組み立て体において既知の望ましい機能は、所定の第１のコネクタだけを所定の第２のコネクタと結合することができるように、コネクタを「キー合わせ」することである。そのようなキー合わせシステムは、キー合わせ機能をコネクタ自体に追加しない限り、平坦フレキシブル回路用のコネクタ組み立て体において実現することは困難である。換言すると、様々なフレキシブル回路構成に対応する標準コネクタをキー合わせ機能だけのためにカスタマイズしなければならず、それにより、そのようなコネクタのコストが高くなる。
【課題を解決するための手段】
【０００４】
本発明は、システムのキー合わせ機能を提供する手段として、平坦回路自体を使用する独特のキー合わせシステムを提供することによって、この問題を解決するものである。
【０００５】
従って、本発明の目的は、平坦フレキシブル回路の導体を相補的接続装置の導体に電気的に相互接続するための新規で改良されたコネクタ組み立て体又はシステムを提供することであり、コネクタシステムは、組み立て体における不適切なコネクタの互換を防止するキー合わせ機能を含む。
【０００６】
本発明の例示的な実施形態において、第１のコネクタは本体部材を備え、本体部材上に平坦フレキシブル回路が位置決めされる。第２のコネクタは第１のコネクタと結合するもので、所定のパターンのキー合わせ突出部を備え、このキー合わせ突出部は、第１のコネクタ上の平坦フレキシブル回路に設けられた対応するパターンのキー合わせ孔（あな）に挿入可能である。
【０００７】
本発明の１つの形態によれば、第１のコネクタの本体部材は、平坦フレキシブル回路が位置決めされる前縁を有する雄型本体部材を含む。平坦フレキシブル回路のキー合わせ孔が、縁の近くに配置されている。雄型本体部材の前縁に回路が巻き付けられており、回路内のあらかじめ位置決めされたキー合わせ孔の後ろに位置するように複数の凹部が前縁に形成されており、これにより、第２のコネクタのキー合わせ突出部がフレキシブル回路の孔を貫通することが可能となる。
【０００８】
本発明のもう１つの形態によれば、第２のコネクタは、第１のコネクタを収容する差し込み口を含む。キー合わせ突出部は差し込み口に配置される。第１のコネクタの本体部材は、第２のコネクタの差し込み口内で結合可能な雄型本体部材を含む。この場合も、平坦フレキシブル回路は、雄型本体部材の前縁に位置決めされ、回路内のキー合わせ孔が縁の近くに配置される。
【０００９】
本発明の他の目的、特徴及び利点は、添付図面と関連して行われる以下の詳細な説明から明らかになるであろう。
【００１０】
新規であると考えられる本発明の特徴は、添付の特許請求の範囲において詳細に説明される。本発明はその目的及び利点とともに、添付図面と関連して行われる以下の説明を参照することによって最もよく理解できるであろう。なお、図面において同一の参照番号は同一の要素を示す。
【発明を実施するための最良の形態】
【００１１】
図面をより詳細に参照すると、図１〜１０は、本発明の１つの実施形態による電気コネクタ組み立て体の構成要素を示し、図１１〜１８は、本発明の第２の実施形態による電気コネクタ組み立て体の構成要素を示す。両方のコネクタ組み立て体は、平坦フレキシブル回路の導体を、本明細書に示したようなプリント回路基板などの相補的接続装置の導体と電気的に相互接続するコネクタ組み立て体にキー合わせシステムを有するという点で、本発明の同じ一般原理を用いている。当然ながら、このシステムが、平坦フレキシブル回路の導体を、別の平坦フレキシブル回路や個別の電気端子などの他の接続装置の導体に電気的に相互接続するコネクタ組み立て体用に同様に適用可能であることを理解されたい。
【００１２】
そのような理解の上で、図１〜１０の第１の実施形態を参照すると、図１は、全体を１０で示した第１又は雄型コネクタを示し、この雄型コネクタは、全体を１６（図２）で示した平坦フレキシブル回路が巻き付けられる前縁１４を有する雄型本体部材１２を含む。雄型本体部材の縁１４には、複数の等間隔の凹部１８が形成されている。実質的に雄型本体部材全体がプラスチック材料から成形されており、１対の位置決めポスト２０が雄型本体部材と一体的に成形されて上方に突出している。裏当てストリップ２２が、実質的に雄型本体部材の幅全体に亘って延在し、雄型本体部材から上方に突出している。最後に、雄型本体部材の両側端に、１対のラッチアーム２４が形成されている。
【００１３】
図２を参照すると、平坦フレキシブル回路１６は、横方向に離間された導体ストリップ２８を有する細長の平坦フレキシブル絶縁基板２６を含むという点では従来通りである。導体は、回路の片面又は両面の薄いフレキシブル保護層で覆われる場合がある。回路１６の上側に保護層がある場合、この層は、回路の幅に亘って広がる接触領域３０内で切り抜かれる。回路には、その基板を貫通する１対の位置決め孔３２が形成されている。図２に示したように、回路は、雄型コネクタ１０の雄型本体部材１２の前縁１４（図１）の回りに巻き付けることができるように湾曲され又は成形されている。これにより、回路の幅全体に亘る先頭巻き付け領域３４（図２）が形成される。最後に、回路の巻き付け領域３４に、あるパターンのキー合わせ孔３６が設けられる。この孔は、平坦フレキシブル回路の長手方向の中心線３８の両側に非対称に離間されている程度の非対称パターンであってもよい。
【００１４】
図３は、雄型コネクタ１０の雄型本体部材１２の前縁１４に巻き付けられた平坦フレキシブル回路１６を示す。雄型本体部材の位置決めポスト２０が、回路の位置決め孔３２を貫通していることが分かる。導体２８を露出する接触領域３０が裏当てストリップ２２の上部に沿って配置されており、これにより、露出した導体が組み立て体の上方に突出する。回路のキー合わせ孔３６は、雄型本体部材の前縁１４内の凹部１８のうちの２つと位置合わせされている。図３は、雄型本体部材１２の下部に１対の有極化リブ３９が設けられていることを示している。
【００１５】
図１の雄型本体部材１２を、図２の平坦フレキシブル回路１６と比較すると、雄型本体部材の前縁にある凹部１８は、等間隔でほぼ対称的であるが、平坦フレキシブル回路のキー合わせ孔３６は、回路の中心線３８に対して非対称パターンであることが分かる。しかしながら、２つのキー合わせ孔は、凹部のうちの２つと位置合わせされている。本体部材内の４つの凹部１８だけを使って、１個から４個までのキー合わせ孔３６の多数のパターンを平坦フレキシブル回路に構成できることが分かる。当然ながら、本発明では、４つより多い凹部１８を設けて、キー合わせ孔３６の更に多くの組み合わせを多数の孔非対称パターンで提供することもできる。
【００１６】
図４及び５は、雄型コネクタ１０（図１及び３）と結合するために、全体を４０で示した第２のコネクタ又は雌型コネクタを示す。具体的には、雌型コネクタ４０は、雄型コネクタ１０の前縁１４を、平坦フレキシブル回路１６が巻き付けられた状態で収容するために、１対の壁４４の間に形成された差し込み口４２（図４）を含む。図４で最もよく分かるように、差し込み口４２内の基部には、１対のキー合わせ突出部４６が形成されている。これらのキー合わせ突出部は、平坦フレキシブル回路のキー合わせ孔３６（図２）のパターンに対応するパターンである。図４は雌型コネクタの前方結合面４８を示し、図５はコネクタの後方終端面５０を示し、後で分かるように、プリント回路基板を収容するための細長のスロット５２が形成されている。また、図４は、雄型コネクタが差し込み口４２に上下逆さまの状態で差し込まれるのを防ぐために、雌型コネクタが、雄型コネクタ１０の有極化リブ３９を収容するための１対の有極化スロット５３を備えることを示している。
【００１７】
図６及び７は、組み立てられていない状態の雄型コネクタ１０、平坦フレキシブル回路１６、雌型コネクタ４０及びプリント回路基板５４の組み立て体全体を示す。雄型コネクタ１０と平坦フレキシブル回路１６の半組み立て体は、矢印「Ａ」の方向に、雌型コネクタ４０の差し込み口４２に差し込まれる。プリント回路基板５４は、雌型コネクタ４０の後方終端面５０のスロット５２（図７）に、矢印「Ｂ」の方向に差し込まれる舌状部分５４ａを有する。図７において、プリント回路基板５４が、平坦フレキシブル回路の導体２８（図６）に相互接続するための複数の導体５６を有することが分かる。
【００１８】
図８及び９は、プリント回路基板の導体５６（図８）を平坦フレキシブル回路１６の導体２８（図９）と電気的に相互接続するために、雌型コネクタ４０の両側に完全に差し込まれた雄型コネクタ１０とプリント回路基板５４を示す。図１０で最もよく分かるように、雄型コネクタ１０の雄型本体部材１２の裏当てストリップ２２は、平坦フレキシブル回路１６を、プリント回路基板５４の舌状部分５４ａの下側の導体５６に押し付ける。図２に関して説明したように、平坦フレキシブル回路の導体は、裏当てストリップ２２の真上にある接触領域３０（図２）内で露出されており、その結果、接触領域内の露出した導体が、プリント回路基板の導体５６と係合する。
【００１９】
図１０は、さらに、平坦フレキシブル回路１６のキー合わせ孔３６の１つに差し込まれた、雌型コネクタ４０の差し込み口４２の基部にあるキー合わせ突出部４６の１つを示す。キー合わせ突出部４６が回路を完全に貫通し、雄型コネクタ１０の雄型本体部材１２の前縁にある凹部１８のうちの１つの凹部内に延在していることが分かる。
【００２０】
以上のことから、平坦フレキシブル回路１６のキー合わせ孔３６のパターンが、雌型コネクタ４０の差し込み口４２のキー合わせ突出部４６のパターンと一致しない限り、雄型コネクタ１０を雌型コネクタ４０と完全に結合させることができないことが分かる。キー合わせ孔とキー合わせ突出部のパターンが一致しない場合は、一致しないキー合わせ突出部が、平坦フレキシブル回路の巻き付けられたキー合わせ孔のない部分に当接し、コネクタを結合することができない。本質的には、本発明は、平坦フレキシブル回路自体を、コネクタ組み立て体のキー合わせ構成要素として利用する。一般に、回路は用途毎にカスタマイズして構成されるので、平坦フレキシブル回路内のキー合わせ孔のパターンを変更することは極めて安価である。このようにして、標準の雄型コネクタ（図１）を、均一に離間した凹部１８とともに作成し、任意の数の異なるキー付き組み立て体に使用することができる。換言すると、コネクタ組み立て体全体のキー構成を変更するために、雄型コネクタ１０を何も変更する必要がない。これにより、異なる「キー」を使用する度に組み立て体の主構成要素を変更しなくてもよいため、費用がかなり節約される。
【００２１】
図１１〜１８は、本発明の第２の実施形態を示し、図１１〜１８では、図１〜１０の第１の実施形態に関して前に説明したものと同じ構成要素に対応する同一の参照数字を適用した。これにより、２つの実施形態を比較する際に本発明のより簡潔、かつ、明瞭な理解が実現されるはずである。
【００２２】
これを理解した上で、図１１及び１２は、全体を１０Ａで示した雄型コネクタを示し、この雄型コネクタは、前縁１４を有する雄型本体部材１２、前縁の複数の凹部１８、複数の位置決めポスト２０、及び、裏当てストリップ２２を有し、これらはすべて、図１で雄型コネクタ１０の同じ構成要素に関して前に説明した目的のものである。また、図１１及び１２の雄型コネクタ１０Ａは、平坦フレキシブル回路を雄型本体部材に固定するためのカバー６０を含む。雄型本体部材上には、カバーを雄型本体部材上に押し下げて、それらの間にフレキシブル回路を固定するために、カバー上のラッチ肩部６４と係合するラッチ６２が設けられている。最後に、雄型コネクタ１０Ａの雄型本体部材１２の前縁１４には、凹部１８（図１１）が形成されたリップ６６が形成されている。後で分かるように、平坦フレキシブル回路の前縁が、リップ６６の後ろ側に差し込まれ、リップの裏側には位置決めポスト２０（図１１）と同じ位置に複数のスロット６８（図１２）が形成され、それにより、平坦フレキシブル回路の前縁をリップの後ろに押し込むことができる。
【００２３】
図１３は、横方向に離間された導体ストリップ２８を有する細長の平坦フレキシブル絶縁基板２６を含む平坦フレキシブル回路１６を示す。複数の位置決め孔３２は、雄型本体部材１２の位置決めポスト２０を収容する。第２の実施形態の本発明は、平坦フレキシブル回路の前縁の近くに形成されたキー合わせ孔３６のパターンを含む。実際には、図１１〜１８の第２の実施形態において、キー合わせ孔は、平坦フレキシブル回路の前縁７０に切り込まれたノッチ３６の形である。キー合わせ孔又はノッチのパターンは、平坦フレキシブル回路の長手方向の中心線３８に関して非対称的である。平坦フレキシブル回路１６の前縁７０が、雄型本体部材１２のリップ６６の後ろに、矢印「Ｃ」の方向に差し込まれるとき、回路内の位置決め孔３２に、雄型本体部材上の位置決めポスト２０が嵌（は）まる。さらに、キー合わせ孔又はノッチ３６は、リップに形成された凹部１８の幾つかと位置合わせされる。
【００２４】
図１４は、雄型コネクタ１０Ａの雄型本体部材１２に完全に挿入された平坦フレキシブル回路１６を示す。次に、カバー６０が、図１５に示したように閉位置に回転されて、ラッチ６２と係合する。雄型コネクタ１０Ａと平坦フレキシブル回路１６のこの半組み立て体は、雌型コネクタ４０Ａ（図１６）と矢印「Ｄ」の方向に結合可能である。雌型コネクタは、ラッチ構造７６と係合して雄型コネクタと雌型コネクタを組み立て体内で保持するラッチ７４を有する。雄型コネクタは、雌型コネクタの差し込み口４２に差し込まれる。図１７は、差し込み口にさらに差し込まれているが、まだ完全に結合されていない状態の雄型コネクタを示す。
【００２５】
図１６及び１７を参照する際に、雄型コネクタ１０Ａが、図１１〜１５の描写に対して反転された状態、すなわち、上下逆さまの状態になっていることを理解されたい。それを理解した上で、図１６及び１７は、雌型コネクタ４０Ａが、差し込み口４２の概略入口にキー合わせ突出部４６のパターンを含むことを示す。図１３及び１７の比較において、キー合わせ突出部４６のパターンは、平坦フレキシブル回路１６の前縁７０のキー合わせ孔又はノッチ３６のパターンと一致している。回路のノッチは、キー合わせ突出部４６が、平坦フレキシブル回路のノッチ３６を完全に貫通できるように、雄型コネクタ内の凹部１８のうちの特定の凹部と位置が合っている。図１８は、凹部１８のうちの１つと位置が合っているキー合わせ突出部４６のうちの１つを示す。図１〜１０の実施形態と同じように、プリント回路基板５４は、平坦フレキシブル回路と相互接続するために、雌型コネクタ４０Ａの裏側に差し込まれる。
【００２６】
以上のことから、雄型コネクタ１０の第１の実施形態と同様に、第２の実施形態の雄型コネクタ１０Ａは、一般に平坦フレキシブル回路のキー合わせ孔３６及び雌型コネクタのキー合わせ突出部４６の数よりも多い複数の凹部１８を備えた標準の構成要素として作成できることが分かる。従って、標準の雄型コネクタを提供し、単に平坦フレキシブル回路と雌型コネクタの「キー」を変更することによって、相当なコストが節約される。図１〜１０の第１の実施形態と図１１及び１２の第２の実施形態の大きな違いは、第１の実施形態では、雄型コネクタと雌型コネクタが、実質的に完全に結合されるまで、雌型コネクタ４０のキー合わせ突出部４６が、平坦フレキシブル回路のキー合わせ孔３６と係合しない点である。図１１〜１８の実施形態において、２つのコネクタが最初に結合したときに、キー合わせ突出部４６が、平坦フレキシブル回路のキー合わせ孔又はノッチ３６に入り、雄型コネクタの凹部１８に入り、これは、図１８に見ることができる。
【００２７】
本発明は、本発明の精神又は中心的特徴から逸脱することなく他の特定の形態で実現できることを理解されよう。従って、上記の実施例及び実施形態は、すべての点において限定的ではなく例示的であるとして解釈されるべきであり、本発明は、本明細書で示した細部に限定されるものではない。
【図面の簡単な説明】
【００２８】
【図１】本発明の第１の実施形態によるコネクタ組み立て体の雄型コネクタの前面斜視図である。
【図２】図１の雄型コネクタに巻き付けるキー付き平面フレキシブル回路の斜視図である。
【図３】図１の雄型コネクタに巻き付けられた図２の回路の斜視図である。
【図４】図３の雄型コネクタ及び回路を収容する雌型コネクタの結合面の斜視図である。
【図５】図４に示した雌型コネクタの後方斜視図である。
【図６】第１の実施形態のコネクタ組み立て体全体の分解状態の斜視図である。
【図７】図６の組み立て体の反対方向から見た斜視図である。
【図８】図６に示したような組み立て体の組み立てられ結合された状態の斜視図である。
【図９】図８の組み立て体の反対方向から見た図である。
【図１０】図９の線１０−１０に沿って切断した縦断面図である。
【図１１】本発明の第２の実施形態によるコネクタ組み立て体の雄型コネクタの結合端を見た斜視図である。
【図１２】図１１のコネクタの後ろ側を見た斜視図である。
【図１３】キー付き平面フレキシブル回路がコネクタ上に位置決めされている状態の図１１と類似の斜視図である。
【図１４】平坦フレキシブル回路がコネクタ上に完全に位置決めされた状態の図１３と類似の図である。
【図１５】コネクタのカバーが閉じた状態を示す図１４と類似の図である。
【図１６】キー付き雌型コネクタに差し込まれようとしている図１１〜１５の雄型コネクタの斜視図である。
【図１７】雄型コネクタが雌型コネクタに差し込まれた状態の図１６と類似の図である。
【図１８】図１６及び１７のコネクタ組み立て体のキー合わせ部分を示す部分的に断面した破断拡大斜視図である。
【国際公開パンフレット】
2005508566.tif 000003
2005508566.tif 000004
2005508566.tif 000005
2005508566.tif 000006
2005508566.tif 000007
2005508566.tif 000008
2005508566.tif 000009
2005508566.tif 000010
2005508566.tif 000011
2005508566.tif 000012
2005508566.tif 000013
2005508566.tif 000014
2005508566.tif 000015
2005508566.tif 000016
2005508566.tif 000017
2005508566.tif 000018
2005508566.tif 000019
2005508566.tif 000020
2005508566.tif 000021
2005508566.tif 000022
2005508566.tif 000023
2005508566.tif 000024
2005508566.tif 000025
【手続補正書】
【提出日】平成15年3月31日(2003.3.31)
【手続補正１】
【補正対象書類名】特許請求の範囲
【補正対象項目名】全文
【補正方法】変更
【補正の内容】
【特許請求の範囲】
【請求項１】
平坦フレキシブル回路（１６）の導体を相補的接続装置の導体と電気的に相互接続するためのコネクタ組み立て体内のキー合わせシステムであって、
本体部材（１２）を備え、その上に平坦フレキシブル回路（１６）が位置決めされる第１のコネクタ（１０）と、
第１のコネクタ（１０）と結合するための第２のコネクタ（４０）であって、所定のパターンのキー合わせ突出部（４６）を含み、このキー合わせ突出部が第１のコネクタ（１０）上の平坦フレキシブル回路（１６）に設けられた対応するパターンのキー合わせ孔（３６）に挿入可能である第２のコネクタと
を有するキー合わせシステム。
【請求項２】
前記第１のコネクタ（１０）は、平坦フレキシブル回路（１６）のキー合わせ孔（３６）の後ろに凹部が形成されており、これにより、キー合わせ突出部（４６）が前記孔を貫通することができる、請求項１に記載のキー合わせシステム。
【請求項３】
第１のコネクタ（１０）の本体部材（１２）は、平坦フレキシブル回路（１６）が位置決めされる前縁（１４）を備える雄型本体部材を有し、平坦フレキシブル回路（１６）の前記キー合わせ孔（３６）が縁（１４）の近くに配置されている、請求項１に記載のキー合わせシステム。
【請求項４】
前記平坦フレキシブル回路（１６）は雄型本体部材（１２）の前記前縁（１４）に巻き付けられ、第１のコネクタ（１０）の前縁（１４）のキー合わせ孔（３６）の後ろに複数の凹部（１８）が設けられ、これにより、第２のコネクタ（４０）のキー合わせ突出部（４６）が前記孔を貫通することができる、請求項３に記載のキー合わせシステム。
【請求項５】
前記第２のコネクタ（４０）は、第１のコネクタ（１０）の本体部材（１２）を収容する差し込み口（４２）を含み、前記キー合わせ突出部（４６）が差し込み口（４２）に配置されている、請求項１に記載のキー合わせシステム。
【請求項６】
前記第１のコネクタ（１０）の本体部材（１２）は、第２のコネクタ（４０）の差し込み口（４２）内に結合可能な雄型本体部材を有する、請求項５に記載のキー合わせシステム。
【請求項７】
前記雄型本体部材（１２）は、平坦フレキシブル回路（１６）が配置される前縁（１４）を備え、平坦フレキシブル回路（１６）の前記キー合わせ孔（３６）が縁（１４）の近くに配置されている、請求項６に記載のキー合わせシステム。
【請求項８】
平坦フレキシブル回路（１６）の導体を相補的接続装置の導体と電気的に相互接続するコネクタ組み立て体のキー合わせシステムであって、平坦フレキシブル回路が長手方向の中心線（３８）を有し、
本体部材（１２）を備え、その上に平坦フレキシブル回路（１６）を位置決めする第１のコネクタ（１０）と、
第１のコネクタ（１０）と結合するための第２のコネクタ（４０）であって、中心線（３８）を挟んだ一側の所定位置にキー合わせ突出部（４６）を、第１のコネクタ（１０）上の平坦フレキシブル回路（１６）に設けられた対応するキー合わせ孔（３６）に対して挿入可能に設け、中心線（３８）を挟んだ他側の所定位置にキー合わせ突出部を欠き、さらに当該他側の所定位置について、平坦フレキシブル回路にキー合わせ孔を欠いているキー合わせシステム。
【請求項９】
前記第１のコネクタ（１０）は、平坦フレキシブル回路（１６）のキー合わせ孔（３６）の後ろに凹部が形成されており、これにより、キー合わせ突出部（４６）が前記孔を貫通することができる、請求項８に記載のキー合わせシステム。
【請求項１０】
前記第１のコネクタ（１０）の本体部材（１２）は、平坦フレキシブル回路（１６）が位置決めされる前縁（１４）を備える雄型本体部材を有し、平坦フレキシブル回路（１６）の前記キー合わせ孔（３６）が縁（１４）の近くに配置されている、請求項８に記載のキー合わせシステム。
【請求項１１】
前記平坦フレキシブル回路（１６）は雄型本体部材（１２）の前記前縁（１４）に巻き付けられ、第１のコネクタ（１０）の前縁（１４）のキー合わせ孔（３６）の後ろに凹部（１８）が設けられ、これにより、第２のコネクタ（４０）のキー合わせ突出部（４６）が前記孔を貫通することができる、請求項１０に記載のキー合わせシステム。
【請求項１２】
前記第２のコネクタ（４０）は、第１のコネクタ（１０）の本体部材（１２）を収容する差し込み口（４２）を含み、前記キー合わせ突出部（４６）が差し込み口（４２）に配置されている、請求項８に記載のキー合わせシステム。
【請求項１３】
前記第１のコネクタ（１０）の本体部材（１２）は、第２のコネクタ（４０）の差し込み口（４２）内に結合可能な雄型本体部材を有する、請求項１２に記載のキー合わせシステム。
【請求項１４】
前記雄型本体部材（１２）は、平坦フレキシブル回路（１６）が配置される前縁（１４）を備え、平坦フレキシブル回路（１６）の前記キー合わせ孔（３６）が縁（１４）の近くに配置されている、請求項１３に記載のキー合わせシステム。
【国際調査報告】
2005508566.tif 000026
2005508566.tif 000027